(57)【要約】      （修正有）【課題】フィットネス活動中に個体の位置を追跡するための装置、システムおよび方法を提供する。【解決手段】フィットネス活動に従事する参加者を追跡する方法は、参加者が使用するポータブルフィットネス装置において受信されたデータに基づいてフィットネス活動中に参加者の位置を決定する工程と、見物人が使用するモバイル見物人装置において受信されたデータに基づいてフィットネス活動中に見物人の位置を決定する工程と、フィットネス活動中にサーバーから見物人装置における見物人へ警告を送信し、参加者が見物人から所定の距離内にいることを示す工程と、フィットネス活動中にポータブルフィットネス装置へ警告を送信し、見物人が参加者から所定の距離内にいることを示す工程と、を含む。【選択図】図１
2013137765.tif 000002
【特許請求の範囲】
【請求項１】
参加者が使用するポータブルフィットネス装置において受信されたデータに基づいてフィットネス活動中に参加者の位置を決定する工程と；
見物人が使用するモバイル見物人装置において受信されたデータに基づいてフィットネス活動中に見物人の位置を決定する工程と；
フィットネス活動中にサーバーからポータブルフィットネス装置へ警告を送信し、見物人が参加者から所定の距離内にいることを示す工程と；
を含む、フィットネス活動に従事する参加者を追跡する方法。
【請求項２】
フィットネス活動中に見物人装置における見物人へ警告を送信し、参加者が見物人から所定の距離内にいることを示す工程を更に含む、請求項１に記載の方法。
【請求項３】
ポータブルフィットネス装置に送信される警告が見物人の位置を示す、請求項１に記載の方法。
【請求項４】
参加者の位置情報をサーバーにおいて受信する工程を更に含む、請求項１に記載の方法。
【請求項５】
前記フィットネス活動が所定の経路を含む、請求項１に記載の方法。
【請求項６】
前記フィットネス活動が複数の参加者を含む競争イベントである、請求項１に記載の方法。
【請求項７】
前記フィットネス活動がマラソンである、請求項５に記載の方法。
【請求項８】
前記フィットネス活動が参加者によってスケジューリングされたフィットネス活動である、請求項１に記載の方法。
【請求項９】
前記フィットネス活動が、参加者が作成した経路を含む、請求項１に記載の方法。
【請求項１０】
参加者へ送信される警告および見物人へ送信される警告のうちの少なくとも１つが視覚的警告である、請求項２に記載の方法。
【請求項１１】
参加者へ送信される警告および見物人へ送信される警告のうちの少なくとも１つが聴覚的警告である、請求項２に記載の方法。
【請求項１２】
参加者へ送信される警告および見物人へ送信される警告のうちの少なくとも１つが触覚的警告である、請求項２に記載の方法。
【請求項１３】
見物人へ送信される警告が見物人から参加者までの距離を示す、請求項２に記載の方法。
【請求項１４】
見物人へ送信される警告が、見物人の位置に参加者が到着する予定時間を示す、請求項２に記載の方法。
【請求項１５】
フィットネス活動の見物人からのフィットネス活動登録情報をサーバーにおいて受信する工程であって、該登録情報がフィットネス活動の参加者に関する情報を含む、工程と；
ポータブルフィットネス装置を使用してフィットネス活動中に参加者の位置を決定する工程と；
フィットネス活動中に所定の見物人パラメーター閾値に達しているとの警告をポータブルフィットネス装置へ送信する工程と；
を含む、フィットネス活動中にポータブルフィットネス装置を使用して個体を追跡する方法。
【請求項１６】
参加者を追跡するために登録するように招待をポータブル装置から見物人へ送信する工程を更に含む、請求項１５に記載の方法。
【請求項１７】
所定の見物人パラメーターが距離に基づくものである、請求項１５に記載の方法。
【請求項１８】
前記警告が、見物人が参加者から所定の距離内にいることを示す、請求項１７に記載の方法。
【請求項１９】
所定の見物人パラメーターが時間に基づくものである、請求項１５に記載の方法。
【請求項２０】
参加者についての運動能力データに基づいて所定の見物人パラメーター閾値に達していると決定する工程を更に含む、請求項１５に記載の方法。
【請求項２１】
前記警告がサーバーから送信される、請求項１５に記載の方法。
【請求項２２】
前記登録情報がフィットネス活動前に受信される、請求項１５に記載の方法。
【請求項２３】
参加者が見物人から所定の距離内にいる時に見物人へ警告を送信する工程を更に含む、請求項１５に記載の方法。
【請求項２４】
見物人、参加者およびフィットネス活動のうちの１つ以上が、インターネット経由で複数のユーザーによってアクセス可能なソーシャルネットワークと関連する、請求項１５に記載の方法。
【請求項２５】
前記ソーシャルネットワークが、インターネット経由で複数のユーザーによってアクセス可能なフィットネスデータベースと関連する、請求項２４に記載の方法。
【請求項２６】
見物人および参加者がソーシャルネットワークを通じてつながる、請求項２４に記載の方法。
【請求項２７】
フィットネス活動中に参加者の追跡に参加するように、招待をフィットネス活動前にサーバーから見物人へ送信する工程であって、該見物人が、インターネット経由で見物人および参加者によってアクセス可能なソーシャルネットワークの会員である、工程と；
見物人からの招待の承認をサーバーにおいて受信する工程と；
ポータブルフィットネス装置を使用してフィットネス活動中に参加者の位置を決定する工程と；
モバイル見物人装置を使用してフィットネス活動中に見物人の位置を決定する工程と；
フィットネス活動中にサーバーからポータブルフィットネス装置へ警告を送信し、見物人が参加者から所定の距離内にいることを示す工程と；
を含む、フィットネス活動中にポータブルフィットネス装置を使用して参加者を追跡する方法。
【請求項２８】
フィットネス活動中に見物人装置における見物人へ警告を送信し、参加者が見物人から所定の距離内にいることを示す工程を更に含む、請求項２７に記載の方法。
【請求項２９】
参加者が使用するポータブルフィットネス装置において受信されたデータに基づいてフィットネス活動中に参加者の位置を決定する工程と；
見物人が使用するモバイル見物人装置において受信されたデータに基づいてフィットネス活動中に見物人の位置を決定する工程と；
フィットネス活動中にサーバーから見物人装置における見物人へ警告を送信し、参加者が見物人から所定の距離内にいることを示す工程と；
を含む、フィットネス活動に従事する参加者を追跡する方法。
【請求項３０】
フィットネス活動中にポータブルフィットネス装置へ警告を送信し、見物人が参加者から所定の距離内にいることを示す工程を更に含む、請求項２９に記載の方法。
【請求項３１】
フィットネス活動中に参加者の追跡に参加するように、招待をフィットネス活動前にサーバーから見物人へ送信する工程であって、該見物人が、インターネット経由で見物人および参加者によってアクセス可能なソーシャルネットワークの会員である、工程と；
見物人からの招待の承認をサーバーにおいて受信する工程と；
ポータブルフィットネス装置を使用してフィットネス活動中に参加者の位置を決定する工程と；
フィットネス活動中にサーバーから見物人装置における見物人へ警告を送信し、参加者が見物人から所定の距離内にいることを示す工程と；
を含む、フィットネス活動中にポータブルフィットネス装置を使用して参加者を追跡する方法。
【請求項３２】
フィットネス活動中にポータブルフィットネス装置へ警告を送信し、見物人が参加者から所定の距離内にいることを示す工程を更に含む、請求項３１に記載の方法。
【請求項３３】
参加者が使用するポータブルフィットネス装置において受信されたデータに基づいてフィットネス活動中に参加者の位置を決定する工程と；
見物人が使用するモバイル見物人装置において受信されたデータに基づいてフィットネス活動中に見物人の位置を決定する工程と；
フィットネス活動中にサーバーからポータブルフィットネス装置へ警告を送信し、見物人が参加者から所定の距離内にいることを示す工程と；
を含む、フィットネス活動に従事する参加者を追跡する方法。
【請求項３４】
フィットネス活動中に見物人装置における見物人へ警告を送信し、参加者が見物人から所定の距離内にいることを示す工程を更に含む、請求項３３に記載の方法。
【請求項３５】
ポータブルフィットネス装置に送信される警告が見物人の位置を示す、請求項３３に記載の方法。
【請求項３６】
参加者の位置情報をサーバーにおいて受信する工程を更に含む、請求項３３に記載の方法。
【請求項３７】
参加者の位置情報をサーバーにおいて受信する工程を更に含む、請求項３４に記載の方法。
【請求項３８】
前記フィットネス活動が所定の経路を含む、請求項３３〜３７のいずれかに記載の方法。
【請求項３９】
前記フィットネス活動が複数の参加者を含む競争イベントである、請求項３３〜３７のいずれかに記載の方法。
【請求項４０】
前記フィットネス活動が競争するマラソンである、請求項３３〜３７のいずれかに記載の方法。
【請求項４１】
前記フィットネス活動が参加者によってスケジューリングされたフィットネス活動である、請求項３３〜３７のいずれかに記載の方法。
【請求項４２】
前記フィットネス活動が、参加者が作成した経路を含む、請求項３３〜３７のいずれかに記載の方法。
【請求項４３】
参加者へ送信される警告および見物人へ送信される警告のうちの少なくとも１つが、視覚的警告、聴覚的警告および触覚的警告のうちの１つ以上を含む、請求項３３〜４２のいずれかに記載の方法。
【請求項４４】
見物人へ送信される警告が、見物人から参加者までの距離または見物人の位置に参加者が到着する予定時間を示す、請求項３３〜４３のいずれかに記載の方法。
【請求項４５】
フィットネス活動の見物人からのフィットネス活動登録情報をサーバーにおいて受信する工程であって、該登録情報がフィットネス活動の参加者に関する情報を含む、工程と；
フィットネス活動中に所定の見物人パラメーター閾値に達しているとの警告をポータブルフィットネス装置へ送信する工程と；
を更に含む、請求項３３〜４３のいずれかに記載の方法。
【請求項４６】
参加者を追跡するために登録するように招待をポータブル装置から見物人へ送信する工程を更に含む、請求項３３〜４５のいずれかに記載の方法。
【請求項４７】
所定の見物人パラメーターが距離に基づくものである、請求項４５または４６に記載の方法。
【請求項４８】
参加者についての運動能力データに基づいて所定の見物人パラメーター閾値に達していると決定する工程を更に含む、請求項４５〜４７のいずれかに記載の方法。
【請求項４９】
前記登録情報がフィットネス活動前に受信される、請求項４５〜４８のいずれかに記載の方法。
【請求項５０】
見物人、参加者およびフィットネス活動のうちの１つ以上が、インターネット経由で複数のユーザーによってアクセス可能なソーシャルネットワークと関連する、請求項３３〜４９のいずれかに記載の方法。
【請求項５１】
見物人および参加者がソーシャルネットワークを通じてつながる、請求項５０に記載の方法。
【請求項５２】
請求項３３〜５２のいずれかに記載の方法を実施するように適合された、フィットネス活動に従事する参加者を追跡するためのシステム。
【請求項５３】
請求項３３〜５２のいずれかに記載の方法を実行するための命令を含むコンピュータプログラム。
【請求項５４】
１つ以上のプロセッサにフィットネス活動に従事する参加者を追跡させるためのコンピュータプログラムロジックが記憶された一時的ではないコンピュータ使用可能媒体を含むコンピュータプログラム製品であって、該コンピュータプログラムロジックが、
参加者が使用するポータブルフィットネス装置において受信されたデータに基づいてフィットネス活動中に参加者の位置を決定するための第１コンピュータ可読プログラムコードと；
見物人が使用するモバイル見物人装置において受信されたデータに基づいてフィットネス活動中に見物人の位置を決定するための第２コンピュータ可読プログラムコードと；
フィットネス活動中にポータブルフィットネス装置へ警告を送信し、見物人が参加者から所定の距離内にいることを示すための第３コンピュータ可読プログラムコードと；
を含む、コンピュータプログラム製品。
【発明の詳細な説明】
【技術分野】
【０００１】
（発明の分野）
本発明は、フィットネス活動のモニタリングに関する。より具体的には、本発明の実施形態は、フィットネス活動の参加者および／またはフィットネス活動の見物人の位置をモニタリングするシステムおよび方法に関する。
【背景技術】
【０００２】
フィットネス活動は、参加者および見物人の双方にとって実りあるものであり得る。こうした活動に参加することは、健康なライフスタイルおよび個人福祉を維持するために重要であり得る。フィットネス活動を見る者は、競争の興奮を楽しむことができ、また、１人以上の参加者に対して応援したい、またはサービスを提供したいと思い得る。これに関連し、見物人は、例えばコーチ、トレーナー、監督者、救護所の係員、または医者を含み得る。例えば、参加者とこのような見物人との間のコミュニケーションを改善することは、参加するアスリートの健康状態を管理してより良いパフォーマンスを達成する、あるいは、怪我またはその他の健康への脅威を防ぐために医療サービスを提供するのに有用であり得る。技術により、フィットネス活動に従事する個体の位置およびパフォーマンスをモニタリングできるシステムが開発されている。こうした活動の参加者および見物人にリアルタイムの情報を提供するフィットネスモニタリングのシステムおよび方法が必要とされる。
【発明の開示】
【０００３】
（発明の要旨）
本発明の実施形態は、フィットネス活動に従事する参加者を追跡する方法に関する。ある実施形態において、該方法は、参加者が使用するポータブルフィットネス装置において受信されたデータに基づいてフィットネス活動中に参加者の位置を決定する工程と；見物人が使用するモバイル見物人装置において受信されたデータに基づいてフィットネス活動中に見物人の位置を決定する工程と；フィットネス活動中にサーバーから見物人装置における見物人へ警告を送信し、参加者が見物人から所定の距離または時間内にいること、あるいは特定の位置または目的のポイントにいることを示す工程と；を含む。該方法は、フィットネス活動中にポータブルフィットネス装置へ警告を送信し、見物人が参加者から所定の距離内にいることを示す工程を含み得る。
【０００４】
別の実施形態において、フィットネス活動中にポータブルフィットネス装置を使用して個体を追跡する方法は、フィットネス活動の見物人からのフィットネス活動登録情報をサーバーにおいて受信する工程であって、該登録情報がフィットネス活動の参加者に関する情報を含む、工程と；ポータブルフィットネス装置を使用してフィットネス活動中に参加者の位置を決定する工程と；フィットネス活動中に所定の見物人パラメーター閾値に達しているとの警告をポータブルフィットネス装置へ送信する工程と；を含む。
【０００５】
別の実施形態において、フィットネス活動中にポータブルフィットネス装置を使用して参加者を追跡する方法は、フィットネス活動中に参加者の追跡に参加するように、招待をフィットネス活動前にサーバーから見物人へ送信する工程であって、該見物人が、インターネット経由で見物人および参加者によってアクセス可能なソーシャルネットワークの会員である、工程と；見物人からの招待の承認をサーバーにおいて受信する工程と；ポータブルフィットネス装置を使用してフィットネス活動中に参加者の位置を決定する工程と；フィットネス活動中にサーバーからポータブルフィットネス装置へ警告を送信し、見物人が参加者から所定の距離内にいることを示す工程と；を含む。該方法は、モバイル見物人装置を使用してフィットネス活動中に見物人の位置を決定する工程を含み得る。該方法は、フィットネス活動中に見物人装置における見物人へ警告を送信し、参加者が見物人から所定の距離内にいることを示す工程を含み得る。
【０００６】
別の実施形態において、フィットネス活動中にポータブルフィットネス装置を使用して参加者を追跡する方法は、フィットネス活動中に参加者の追跡に参加するように、招待をフィットネス活動前にサーバーから見物人へ送信する工程であって、該見物人が、インターネット経由で見物人および参加者によってアクセス可能なソーシャルネットワークの会員である、工程と；見物人からの招待の承認をサーバーにおいて受信する工程と；ポータブルフィットネス装置を使用してフィットネス活動中に参加者の位置を決定する工程と；フィットネス活動中にサーバーから見物人装置における見物人へ警告を送信し、参加者が見物人から所定の距離内にいることを示す工程と；を含む。
【０００７】
更に別の実施形態において、フィットネス活動に従事する参加者を追跡する方法は、参加者が使用するポータブルフィットネス装置において受信されたデータに基づいてフィットネス活動中に参加者の位置を決定する工程と；見物人が使用するモバイル見物人装置において受信されたデータに基づいてフィットネス活動中に見物人の位置を決定する工程と；フィットネス活動中にサーバーからポータブルフィットネス装置へ警告を送信し、見物人が参加者から所定の距離内にいることを示す工程と；を含む。
【０００８】
別の実施形態において、１つ以上のプロセッサにフィットネス活動に従事する参加者を追跡させるためのコンピュータプログラムロジックが記憶された一時的ではないコンピュータ使用可能媒体を含むコンピュータプログラム製品は、参加者が使用するポータブルフィットネス装置において受信されたデータに基づいてフィットネス活動中に参加者の位置を決定するための第１コンピュータ可読プログラムコードと；見物人が使用するモバイル見物人装置において受信されたデータに基づいてフィットネス活動中に見物人の位置を決定するための第２コンピュータ可読プログラムコードと；フィットネス活動中にポータブルフィットネス装置へ警告を送信し、見物人が参加者から所定の距離内にいることを示すための第３コンピュータ可読プログラムコードと；を含む。本明細書に記載の方法は、ハードウェアおよび／またはソフトウェア、すなわちコンピュータプログラムの任意の組み合わせにおいて実行され得る。
【０００９】
本発明の実施形態は、共同所有である米国特許出願公開第2011/0082641号明細書（発明の名称「身体活動中にユーザーについての情報を提供するための方法およびコンピュータプログラム製品」）、米国特許出願番号12/836,421号（出願日：２０１０年７月１４日、発明の名称「フィットネスモニタリング方法、システムおよびプログラム製品、並びにそれらの適用」）、および米国特許出願番号12/836,416号（出願日：２０１０年７月１４日、発明の名称「位置認識フィットネスモニタリング方法、システムおよびプログラム製品、並びにそれらの適用」）に記載された１つ以上の特徴を含み得、これらの開示内容は、その全体を引用することにより本明細書の一部をなす。
【００１０】
添付の図面は、組み込まれて本明細書の一部をなすが、本発明を説明し、また、記述と共に本発明の原理を説明し、当業者が本発明を作成および使用することを可能にするのに役立つ。
【図面の簡単な説明】
【００１１】
【図１】図１は、本発明のある実施形態に従ったフィットネス活動モニタリングシステムの概略図である。
【００１２】
【図２】図２は、本発明のある実施形態に従ったＧＰＳベースのフィットネス活動モニタリングシステムの概略図である。
【００１３】
【図３】図３は、本発明のある実施形態に従ったフィットネスモニタリング装置の表示部の概略図である。
【００１４】
【図４】図４は、本発明のある実施形態に従った見物人装置の表示部の概略図である。
【００１５】
【図５】図５は、本発明のある実施形態に従ったフィットネスモニタリング装置の表示部および／または見物人装置の表示部の概略図である。
【００１６】
【図６】図６は、本発明のある実施形態に従った登録インターフェースを含むフィットネスモニタリングシステムの概略図である。
【００１７】
【図７】図７は、本発明のある実施形態に従ったフィットネスモニタリングエリアの概略図である。
【００１８】
【図８】図８は、本発明のある実施形態に従ったフィットネス活動の参加者を追跡する方法を図示するフローチャートである。
【００１９】
【図９】図９は、本発明のある実施形態に従った個体を追跡する方法を図示するフローチャートである。
【００２０】
【図１０】図１０は、本発明のある実施形態に従ったフィットネス活動の参加者を追跡する方法を図示するフローチャートである。
【発明を実施するための形態】
【００２１】
（発明の詳細な説明）
以下、本発明を、添付の図面において説明する実施形態を参照しながら詳しく説明する。図面における同じ参照番号は、同一または機能的に類似の要素を示すために使用される。「１つの実施形態」、「ある実施形態」、「例示的実施形態」等への言及は、記載された実施形態が特定の特徴、構造または特性を含み得ることを示すが、すべての実施形態が必ずしもその特定の特徴、構造または特性を含んでいるわけではない。また、このような表現は必ずしも同じ実施形態に言及しているわけではない。また、特定の特徴、構造または特性がある実施形態と関連して記載されている場合、はっきり記載されていようといまいと、このような特徴、構造または特性にその他の実施形態と関連して影響を与える（affect）ことは当業者の知識の範囲内であると考える。
【００２２】
以下の例は本発明の例示であり、本発明を限定するものではない。当技術分野において普通に遭遇し、当業者にとって明白であろう多様な条件およびパラメーターのその他の好適な修正および適合は、本発明の精神および範囲内である。
【００２３】
本発明の実施形態は、フィットネス活動中に１人以上の個体の位置をモニタリングするためのシステム１０を含む。様々な実施形態において、本発明は、フィットネス活動の参加者（例えばアスリート）１００の位置およびフィットネス活動の見物人２００の位置をモニタリングするためのシステム１０を含む。見物人は、コーチ、トレーナー、親、監督者、ファン、救護所の係員、医者、またはその他のフィットネス活動の見物人を含み得る。１つの実施形態において、別の参加者が、参加者１００のパフォーマンスを追跡したいと望み得るので「見物人」となり得る。見物人は参加者またはレースを物理的に見ていないかも知れないことが理解されるであろう。フィットネス活動中、システム１０は、見物人に警告を送信し、参加者が見物人から所定の距離または到着時間内にいることを示すことができる。フィットネス活動中、システムはまた、参加者１００に警告を送信し、見物人２００が参加者から所定の距離または時間内にいることを示すことができる。このように、本発明の実施形態は、参加者および／または見物人のリアルタイムの位置認識を提供し、また、関与する個体に対して改善されたフィットネス活動参加または見物の経験を提供することができる。例えば、追跡している参加者が近づいているとの警告を受けている、関心のある見物人は、参加者を探してその個体の応援の準備をするように、またはサービス（例えば援助、水、用具等）を提供するように情報が与えられ得る。同様に、参加者につながりのある見物人が近づいているとの警告を受けている参加者は、フィットネス活動中に遂行するように動機付けられたり励まされたりし得る。位置警告がフィットネス活動の参加者１００および見物人２００の両方に提供される実施形態は、フィットネス活動中に個体同士が相互に作用できる可能性を高め得る。
【００２４】
図１を参照すると、システム１０は、フィットネス活動の参加者１００によって使用され、フィットネス活動中に参加者の位置を決定および／または送信するように適合されたポータブルフィットネスモニタリング装置１０２を含む。ポータブルフィットネスモニタリング装置１０２は、ネットワーク１１０を通じてフィットネス活動サーバー１１２と通信し、参加者１００の位置をサーバー１１２に伝え得る。システム１０は、フィットネス活動中に見物人２００の位置を決定および／または送信するように適合された見物人装置２０２を更に含む。１つの実施形態において、見物人装置２０２は、ネットワーク１１０を通じてフィットネス活動サーバー１１２および／またはポータブルフィットネスモニタリング装置１０２と通信し、見物人２００の位置をサーバー１１２および／または装置１０２に伝え得る。
【００２５】
１つの実施形態において、ポータブルフィットネスモニタリング装置１０２は、参加者１００の位置に関する警告を見物人装置２０２へ直接送信し、見物人装置２０２は、見物人２００の位置に関する警告をポータブルフィットネスモニタリング装置１０２へ直接送信する。別の実施形態においては、サーバー１１２がこれらの警告をそれぞれの装置へ送信する。
【００２６】
当業者は理解するであろうが、ポータブルフィットネスモニタリング装置１０２および見物人装置２０２のうちの一方または両方が、本明細書に記載のフィットネスモニタリング方法を提供するアプリケーションプログラムを実行するように適合された１つ以上のプロセッサを含む。１つの実施形態において、フィットネスモニタリング方法は、スマートフォン用のモバイルアプリケーションまたは「アプリ」としてアクセスおよび操作され得る。例えば、フィットネス活動「ライブ追跡」アプリケーションが、サーバー１１２または既知のスマートフォンアプリケーションマーケットからポータブルフィットネスモニタリング装置１０２および見物人装置２０２にダウンロードされ得る。いくつかの実施形態において、フィットネス活動「ライブ追跡」アプリケーションは、別のアプリケーション、例えばフィットネスモニタリングアプリケーション等に組み込まれ得る。
【００２７】
理解されるであろうが、ユーザーは、例えばポータブルフィットネスモニタリング装置１０２または見物人装置２０２上のアイコンを選択することにより「ライブ追跡」アプリケーションを操作し得る。例えば、アイコン上でのユーザーのタッチまたはタッチするジェスチャーが、アプリケーションを開始し得る。アプリケーションを実行するためのコンピュータ可読媒体が、サーバー１１２または装置自体のメモリ、あるいはそれらの組み合わせに記憶され得る。他の実施形態において、ユーザーは、本明細書に記載のフィットネスモニタリング方法の一部または全てを提供するためにサーバー１１２によって提供されるウェブサイトにアクセスし得る。ポータブルフィットネスモニタリング装置１０２および／または見物人装置２０２からアクセス可能なウェブサイトのバージョンは、比較的小さなスクリーン上の表示、例えばスマートフォンやタブレット型コンピュータでの表示用に最適化するために簡略化または修正し得る。
【００２８】
サーバー１１２は、例えば電気通信サーバー、ウェブサーバー、またはその他の類似の種類のデータベースサーバーであって良い。ある実施形態において、サーバー１１２は、複数のプロセッサおよび複数の共用のまたは別々のメモリコンポーネント、例えばクラスタ化されたコンピューティング環境またはサーバー・ファームに組み込まれた１つ以上の計算装置等を有し得る。クラスタ化されたコンピューティング環境またはサーバー・ファームによって行われるコンピューティングプロセスは、同一のまたは異なる場所に配置された複数のプロセッサにわたって実行され得る。ある実施形態において、サーバー１１２は、単一の計算装置上で実行され得る。１つの実施形態において、図１に示すように、サーバー１１２は、参加者１００および／または見物人２００のアカウントを含み得るフィットネスデータベース１１３、記憶された経路情報を有する経路データベース、リアルタイムまたは過去の参加者１００のワークアウト、パフォーマンスおよびトレーニングに関するパフォーマンス情報を有するトレーニング日誌データベース、並びに／または、参加者１００および／または見物人２００用にスケジューリングされたフィットネス活動のスケジュールを有するトレーニングプランデータベースを含む、またはそれらと通信することができる。例えば、フィットネスデータベース１１３は、米国特許出願公開第2011/0082641号明細書（発明の名称「身体活動中にユーザーについての情報を提供するための方法およびコンピュータプログラム製品」）に記載された実施形態に従ったデータ記憶を含み得る。サーバー１１２および／またはフィットネスデータベース１１３は、個体のアカウント情報およびデータへのアクセスを提供するフィットネスウェブサイトを含む、またはそれへのアクセスを提供することができる。ウェブサイトは、パフォーマンスデータの分析および検討、トレーニングのスケジューリング、並びに参加者および／または見物人のパフォーマンスモニタリングに関するその他の機能のためのインターフェースを提供し得る。フィットネスウェブサイトへのアクセス権またはそのアカウントを有するその他の個体は、参加者と見物人が交流できるアスリートコミュニティを規定できる。また、後で述べるように、サーバー１１２は、参加者１００および／または見物人２００に関連したソーシャルネットワークデータベース１１４を含む、またはそれと通信することもできる。
【００２９】
フィットネス活動は、参加者１００が従事し、見物人２００が見るまたは参加する任意のフィットネス活動を含み得る。１つの実施形態において、フィットネス活動は競争するフィットネス活動であり、徒歩競走、競輪、スキーやスノーボードのレース、または参加者１００の物理的な位置が時間の関数として変化するその他のフィットネス活動を含むがこれらに限定されない。例えば、フィットネス活動は、企画された競争するランニングのレース、例えばニューヨークシティマラソン、ワシントンＤＣのアーミー・テン・マイラー（Army Ten Miler）や、高校のクロスカントリーレースを含み得る。ある実施形態において、フィットネス活動は、自分で企画した活動であり得る。例えば、参加者は、１人以上の個体、例えば家族、友人、あるいはソーシャルネットワークまたはフィットネスコミュニティのメンバーが従事するフィットネス活動を企画できる。
【００３０】
１つの実施形態において、フィットネス活動は、１人以上の参加者が行き来する所定の経路を含む。所定の経路は、例えばニューヨークシティマラソンのような競争するランニングのレースにおいてそうであるように、レースの企画者によって提供され得る。いくつかの実施形態において、所定の経路は、参加者によって作成およびスケジューリングされた経路を含み得る。例えば、所定の経路は、米国特許出願公開第2011/0082641号明細書（発明の名称「身体活動中にユーザーについての情報を提供するための方法およびコンピュータプログラム製品」）に記載された実施形態に従って作成およびスケジューリングされ得る。１つの実施形態において、所定の経路は、例えば毎週水曜日に同じ場所で同じ時間に行われる５キロの（５Ｋ）レースとして作成およびスケジューリングされ得、サーバー１１２のユーザーのアカウントに保存され得る。サーバー１１２は、フィットネス活動の所定の経路を含むフィットネス活動に関連した情報を記憶でき、そうした情報はポータブルフィットネスモニタリング装置１０２および見物人装置２０２にダウンロードされ得る。いくつかの実施形態において、所定の経路の情報は、サーバー１１２から送信され、リアルタイムでポータブルフィットネスモニタリング装置１０２によって受信され得る。いくつかの実施形態において、フィットネス活動は、乗り物のレース、例えば車やボートのレース等を含み得る。
【００３１】
ある実施形態において、ネットワーク１１０はインターネットであり得る。インターネットは、データの通信にインターネット・プロトコル(TCP/IP)を採用する世界中のサーバー、ルーター、スイッチおよび伝送線路を集めたものである。ある別の実施形態において、ネットワークは、プライベート・ネットワークまたはイントラネット、例えば特定のフィットネス活動（例えばニューヨークシティマラソン）専用のネットワーク等であり得る。その他の好適な通信ネットワークを使用しても良い。
【００３２】
当業者は理解するであろうが、ポータブルフィットネスモニタリング装置１０２および見物人装置２０２のうちの片方、または両方が、例えば、携帯電話、スマートフォン、専用のフィットネスモニタリング装置、スポーツ腕時計、パーソナル・デジタル・アシスタント、音楽ファイルプレーヤー（例えばMP3プレーヤー）、タブレット型コンピュータ、ラップトップ型コンピュータ、着用するためのインテリジェントな物品（例えばフィットネスモニタリング衣服、リストバンド、腕時計等）、ドングル（例えば、第１の電子装置に物理的に接続し、および／または追加的な電子装置にワイヤレスで接続することができる小さなハードウェア装置）、または本明細書に記載のモニタリング方法を提供するため専用の、または専用ではない任意のその他の好適な装置等の装置であって良い。１つの実施形態において、これら装置は、参加者１００または見物人２００の体に取り付けることができる。例えば、これら装置は、腕、胸部、脚、または足に取り付けることができる。１つの実施形態において、ポータブルフィットネスモニタリング装置１０２および／または見物人装置２０２は手で持っても良い。
【００３３】
１つの実施形態において、ポータブルフィットネスモニタリング装置１０２および見物人装置２０２のうちの片方、または両方が、全地球測位システム（ＧＰＳ）を備えた装置を含む。例えば図２に示すように、システム１０は、ポータブルフィットネスモニタリング装置１０２および／または見物人装置２０２が既知の技術に従ってその位置、速度および相対的位置(bearing)を継続的に決定することを可能にし得るＧＰＳ信号２２を継続的に発するＧＰＳ衛星２０を含み得る。理解されるであろうが、フィットネスモニタリング装置１０２および見物人装置２０２は、位置情報を受信および送信するために必要なＧＰＳ受信機／送信機を含み得る。ポータブルフィットネスモニタリング装置１０２および見物人装置２０２は、その位置をサーバー１１２またはその他の各々の装置へ継続的に送信する、あるいは節電の目的で所定の間隔で送信することができる。１つの実施形態において、ポータブルフィットネスモニタリング装置１０２および見物人装置２０２は、所定の基準に合致した後に位置情報を送信するだけであって良い。例えば、位置の送信は、後で述べるように１つ以上の警告パラメーターに基づき得る。
【００３４】
ポータブルフィットネス装置１０２はまた、フィットネス活動中の参加者のパフォーマンスに関連する様々なパフォーマンスパラメーターに関するデータを測定または受信するように適合され得る。図２に示すように、１つの実施形態において、システム１０は、参加者１００のパフォーマンスパラメーターを測定するための１つ以上の追加的なセンサ１０４および１０６を含み得る。例えば、システム１０は、フィットネス活動中の心拍数情報を決定するための心拍数センサ１０４、および加速度計１０６を含み得る。１つの実施形態において、加速度計１０６は、既知の技術に従って参加者１００の位置を決定するためにＧＰＳ機能を備えたポータブルフィットネスモニタリング装置１０２と連動して使用できる。例えば、加速度計１０６が提供するデータは、ＧＰＳ信号が遮断された場合に（例えば参加者が橋の下の経路を通る等により）、参加者の位置の「推測航法(dead reckoning)」を提供するために使用され得る。システム１０は、その他のセンサを含み得、それらには歩数計、脈拍計、呼吸数センサ、ジャイロスコープ、磁力計、水分補給センサ、体温計、あるいはパフォーマンスパラメーターを測定および／または計算するために使用され得る情報を検出するためのその他の好適なセンサが含まれるがそれらに限定されない。システム１０の各センサは、ポータブルフィットネスモニタリング装置１０２と通信でき、フィットネス活動中に参加者１００に関するパフォーマンスデータを提供できる。各センサは、有線または無線で通信できる。１つの実施形態において、パフォーマンスデータは、ネットワーク１１０を通じてポータブルフィットネスモニタリング装置１０２からサーバー１１２および／または見物人装置２０２へ送信され得る。いくつかの実施形態において、パフォーマンスデータはポータブルフィットネスモニタリング装置１０２に記憶される。
【００３５】
いくつかの実施形態において、フィットネス活動の所定の経路に沿って配置されるレースマット(race mat)等の装置は、参加者１００の位置を決定するためにＧＰＳ機能を備えたポータブルフィットネスモニタリング装置１０２と連動して使用できる。例えば、多くの企画されたレース（例えばニューヨークシティマラソン）は、レースの所定の経路に沿って所定の間隔で配置された複数のレースマットを有する。レースマットは、例えばポータブルフィットネスモニタリング装置１０２によって受信され得るタイムスタンプされた位置データを送信するように適合され得る。このデータは、参加者１００の位置を決定するためにＧＰＳデータと連動して使用され得る。
【００３６】
参加者１００および見物人２００の位置に関する警告は、１つ以上の所定の警告パラメーターに基づいて個体へ送信され得る。それらのパラメーターは、フィットネス活動前またはフィットネス活動中に参加者１００および／または見物人２００によって設定され得る。例えば、「ライブ追跡」アプリケーションを含む実施形態において、該アプリケーションは、警告パラメーターを定義するためのインターフェースを提供し得る。警告パラメーターは、サーバー１１２に記憶され、ネットワーク１１０を通じてポータブルフィットネスモニタリング装置１０２および／または見物人装置２０２によってアクセスされて良く（例えばモニタリングアプリケーションが開始された時に）、あるいは、装置自体に記憶されても良い。
【００３７】
１つの実施形態において、警告パラメーターは距離に基づくものであって良い。例えば、参加者１００および／または見物人２００は、他方が自分の現在の位置から所定の距離（例えば２００ｍ）内にいる時に警告を受け得る。１つの実施形態において、パラメーターは時間に基づくものであって良く、参加者１００および／または見物人２００は、他方が自分の現在の位置から所定の時間内にいる時に警告を受け得る。１つの実施形態において、この決定（すなわち到着時間の推定）は、参加者１００の現在の位置、および１つ以上の受信機またはセンサからポータブルフィットネスモニタリング装置１０２が受信したパフォーマンスデータに基づいて行われ得る。例えば、推定到着時間は、例えばポータブルフィットネスモニタリング装置１０２のＧＰＳ機能および／または加速度計１０６により決定された参加者１００の現在のペースに基づき得る。他の実施形態において、推定到着時間は、参加者の現在の位置、所定のスピード、および／または参加者の所定のペースに基づき得る。
【００３８】
１つの実施形態において、位置警告パラメーターは、１つ以上の受信機またはセンサからポータブルフィットネスモニタリング装置１０２が受信するその他の参加者のパフォーマンスデータに基づき得る。例えば、パラメーターは、測定された参加者１００の心拍数に基づき得る。参加者の心拍数が所定の値を超えた場合、それは、例えば参加者がフィットネス活動の経路に沿って難しい部分を経験していることを示し得る。この時点で、見物人２００がたった２マイル先にいるとの警告が参加者１００へ送信され得、それにより、経路のその部分を耐えるように参加者を励ますことができる。参加者１００および／または見物人２００への警告は、参加者１００および／または見物人２００の現在の位置と組み合わせた、あるいは組み合わせていないその他のパフォーマンスデータに基づき得る。
【００３９】
参加者１００および／または見物人２００に提供される警告は、視覚的警告、聴覚的警告、触覚的警告、またはそれらの任意の組み合わせであって良い。これらの警告を提供するために、ポータブルフィットネスモニタリング装置１０２および見物人装置２０２は、このようにユーザーへ情報を伝達するように適合される。図３および４を参照すると、１つの実施形態において、ポータブルフィットネスモニタリング装置１０２および見物人装置２０２は、表示部１０３、２０３およびスピーカー１０５、２０５をそれぞれ含む。触覚的警告を提供するために、これらの装置は、例えば振動する要素（図示せず）、またはその他の好適な触覚的要素を含み得る。
【００４０】
視覚的警告は、例えば図３、４および５に示すように、参加者１００および／または見物人２００に対して他方の位置を視覚的に示し得る。１つの実施形態において、視覚的警告は、例えばフィットネス活動の経路の地図等のフィットネス活動についての情報を含み得、１つ以上のグラフィカルシンボル（図示記号）を含み得る。グラフィカルシンボルは、特定の位置情報を提供し得、参加者と見物人の相対的位置を示し得る。１つの実施形態において、グラフィカルシンボルは、経路に沿った参加者１００および見物人２００の位置を示す。１つの実施形態において、例えば、視覚的警告は、見物人２００が立っている正確な位置を提供し得る。このように、いくつかの実施形態において、視覚的警告は、フィットネス活動の所定の経路の詳細な地図（例えばグーグルの衛星地図）および地図に重ね合わせられた見物人の位置を含み得る。
【００４１】
参加者１００が経路を進み続けるにつれ、それに応じてグラフィカルシンボルが表示部においてリアルタイムに動き得る。１つの実施形態において、参加者１００および見物人２００の描写は、個体を表す写真、アバターまたはその他のシンボルを含み得る。視覚的警告は、経路に沿ったランドマーク、例えばスタートライン、ゴール、マイルマーカー(mile markers)、給水所、または特別なイベントに特有のストリートおよびランドマーク（例えばニューヨークシティマラソンでのファーストアベニューおよびレキシントン）等のグラフィカルシンボルを含み得る。グラフィカルシンボルは、写真やアバターを含め、例えばサーバー１１２、フィットネスデータベース１１３、および／またはソーシャルネットワークデータベース１１４に記憶され得る。図３および４に示すように、視覚的警告は、参加者１００（または見物人２００）が近づいていることを示すテキストを含み得る。例えば、テキストは、「見物人が３０秒のところに近づいている」、「見物人がマイルマーカー２０にいる」、「参加者が２００ｍのところに近づいている」、「見物人がファーストアベニューおよびレキシントンにおけるレースコースの東側にいる」、または「参加者がちょうどゴールを通過した」、と示し得る。１つの実施形態において、視覚的警告は、例えばフィットネス活動、あるいは参加者１００または見物人２００の位置に関連した１つ以上の広告を含み得る。
【００４２】
聴覚的警告は、例えば装置のスピーカー１０５、２０５またはヘッドホン（図示せず）を通じて、参加者１００および／または見物人２００に対して他方が近づいていることを聴覚的に示し得る。１つの実施形態において、聴覚的警告は、「見物人がマイルマーカー２０にいる」や「参加者が３０秒のところに近づいている」といった標準的なメッセージを含み得る。１つの実施形態において、聴覚的警告は、カスタマイズされた、予め録音されたメッセージであって良い。例えば、見物人２００は、「頑張れジョン！１マイル先で会おう！」といったメッセージを予め録音しておくことができ、こうしたメッセージは、参加者に更なるモチベーションと励ましを与えることができる。警告は、装置１０２、２０２それぞれに、またはサーバー１１２に記憶され得る。
【００４３】
触覚的警告は、参加者１００および／または見物人２００に対し、他方が近づいていることも示し得る。例えば、見物人装置２０２の振動する要素は、参加者１００が２００ｍ、または特定の時間、例えば２０秒以内のところにいる時に振動し得る。
【００４４】
１つの実施形態において、視覚的警告、聴覚的警告および／または触覚的警告は、参加者１００および／または見物人２００に対し、他方の位置に関係なく所定の間隔、位置、距離または時間で送信され得る。例えば、聴覚的メッセージが、レースの５マイルまたは３０分ごとに、あるいは、参加者または見物人が例えば特定のマイルマーカーまたはランドマークに着いた時に、参加者１００へ送信され得る。
【００４５】
１つの実施形態において、参加者１００は、フィットネス活動における他の参加者に関する警告を受信できる。例えば、参加者１００は、「あなたはジョンの１マイル先にいる」、「ジョンが今ゴールした」といった警告を受信できる。１つの実施形態において、見物人２００は、複数の参加者１００に関する警告を受信でき、複数の参加者１００の位置が、見物人装置２０２の地図上に現れ得る。
【００４６】
１つの実施形態において、参加者１００および見物人２００のうちの片方、または両方が、本明細書に記載の位置およびフィットネスモニタリング方法を利用するために登録され得る。１つの実施形態において、図６に示すように、例えば参加者１００および／または見物人２００は、サーバー１１２上の登録インターフェース３００（例えばウェブサイト）にアクセスし、ポータブルフィットネスモニタリング装置１０２および見物人装置２０２それぞれから、または別の遠隔コンピュータ・デバイス３０２からサーバー１１２へ登録情報を提供できる。「ライブ追跡」モバイルアプリケーションを含む実施形態において、登録インターフェース３００は、ポータブルフィットネスモニタリング装置１０２または見物人装置２０２に記憶されたスマートフォンアプリケーションの一部として提供され得る。
【００４７】
例えば、見物人２００は、次回のフィットネス活動中にリアルタイムで参加者１００を追跡することに興味を有し得る。１つの実施形態において、見物人２００は、フィットネス活動の前に登録しなければ参加者の追跡（例えばフィットネス活動中の位置の警告の受信）ができないことがあり得る。１つの実施形態において、見物人２００は、「ライブ追跡」モバイルアプリケーションまたはウェブサイトを通じて登録インターフェース３００にアクセスし、登録情報を提供できる。登録情報は、見物人２００がフィットネス活動中に追跡したい参加者１００についての情報を含み得る。参加者の情報は、例えば参加者の名前、ゼッケン番号、またはその他の識別情報を含み得る。１つの実施形態において、登録情報は、システム１０がフィットネス活動中に見物人と通信することを可能にする見物人２００についての情報も含み得る。見物人の情報は、名前、アカウント情報、Ｅメールアドレス、電話番号、ＩＰアドレス、またはその他の識別情報を含み得る。その他の登録情報（フィットネス活動情報および支払い情報を含むがこれらに限定されない）も提供され得る。１つの実施形態において、登録インターフェース３００は、フィットネス活動と提携し得る。例えば、登録インターフェース３００は、ニューヨークシティマラソンのウェブサイトを含み得る。
【００４８】
１つの実施形態において、参加者１００は、フィットネス活動中に自分を追跡するように１人以上の見物人２００を招待できる。１つの実施形態において、参加者１００は、自分が属し得るソーシャルネットワーク（例えばFacebook（登録商標）、LinkedIn（登録商標）、Twitter（登録商標）等）のメンバー全員または何人かを招待できる。例えば、参加者１００は、次回のレース中に自分を追跡するよう、Facebook（登録商標）の友人、LinkedIn（登録商標）のコンタクト、またはTwitter（登録商標）のフォロワーへ招待を送信できる。１つの実施形態において、ソーシャルネットワークは、フィットネスデータベース１１３上の参加者のアカウントに関連したアスリートコミュニティを含み得る。１つの実施形態において、見物人２００は、ソーシャルネットワークデータベース１１４上の自分のソーシャルネットワークアカウントを通じて招待を受信できる。「ライブ追跡」モバイルアプリケーションを含む実施形態において、例えば個体がフィットネス活動中に参加者を追跡するよう招待されていることを示す、招待インジケーターが、アプリケーションのアイコン上に提供され得る。他の実施形態において、見物人２００は、Ｅメール、テキストメッセージ、インスタントメッセージ、電話、またはその他の好適な通信手段を通じて招待を受信できる。そして見物人２００は招待を受諾できる。いくつかの実施形態において、見物人２００は、招待を受諾した後のみ参加者１００を追跡できる。受諾は、システム１０がフィットネス活動中に見物人と通信することを可能にする見物人識別情報を含み得る。いくつかの実施形態において、招待を受諾後、見物人は、フィットネス活動中に参加者を追跡するために登録する必要があり得る。いくつかの実施形態において、登録後または招待を受諾後、参加者または見物人は、サーバー１１２からモバイルアプリケーションをダウンロードする必要があり得る。
【００４９】
参加者および／または見物人が登録および／または招待の受諾を行った後、システム１０は、次回のフィットネス活動のユーザーに対してリマインダーを提供し得る。リマインダーは、「ライブ追跡」モバイルアプリケーションを通じて提供されるインジケーター、あるいは、他の手段、例えばＥメール、電話、テキストメッセージ、インスタントメッセージ等を通じて送られるメッセージであり得る。リマインダーは、ユーザーが次回のフィットネス活動までの「カウントダウン」を行えるように、所定の間隔で提供され得る。
【００５０】
１つの実施形態において、フィットネス活動中に参加者１００を追跡する見物人２００の数が、参加者に伝達され得る。この見物人の情報は、例えば追跡のために登録した、または参加者の招待を受諾した個体の数に基づき得る。見物人の情報は、フィットネス活動前、活動中または活動後に、聴覚的に、または視覚的にポータブルフィットネスモニタリング装置１０２へ提供され得る。例えば、フィットネス活動前、参加者１００は、「レース中にあなたを追跡するよう登録された見物人が１０人いる」といったメッセージを、ポータブルフィットネスモニタリング装置１０２において受信し得る。フィットネス活動中、参加者１００は、各見物人の位置の視覚的表示と共に、「あなたを見ている見物人が１２人いる」といった警告を、ポータブルフィットネスモニタリング装置１０２において受信し得る。フィットネス活動後、参加者１００は、「レース中２０人の見物人があなたを追跡した」といった警告を受信し得る。各参加者１００向けの見物人の情報は、検討および比較のために、フィットネスデータベース１１３上の個体のアカウントに記憶され得る。例えば、フィットネスデータベース１１３と関連したアスリートコミュニティのメンバーは、フィットネス活動の見物人または「フォロワー」を最も多く有する個体になるよう競争することができる。
【００５１】
１つの実施形態において、参加者１００は、フィットネス活動中に参加者１００に関連した位置情報に見物人２００がアクセスすることを可能にするために、ライブ追跡機能を有効化できる。１つの実施形態において、有効化は手動で行い得る。例えば、１つの実施形態において、参加者１００は、ポータブルフィットネスモニタリング装置１０２に記憶された「ライブ追跡」モバイルアプリケーションを通じて追跡機能を有効化する。別の実施形態において、参加者１００は、ウェブサイトを通じて追跡機能を有効化する。別の実施形態においては、自動的に有効化される。例えば、ライブ追跡機能は、参加者１００がフィットネス活動またはレースコースのスタートラインから所定の距離内にいる時に自動的に有効化され得る。１つの実施形態において、参加者１００は、ライブ追跡機能が有効化されたという視覚的または聴覚的フィードバックを受信し得る。いくつかの実施形態においては、見物人２００も、フィットネス活動中に見物人２００に関連した位置情報に参加者１００がアクセスすることを可能にするために、ライブ追跡機能を有効化する必要があり得る。ライブ追跡機能の有効化は、プライバシーの問題に対処し得る。
【００５２】
ライブ追跡機能が有効化された後、システム１０は、１つ以上のセンサおよび受信機からのパフォーマンスデータを記録し始めることができ、参加者の位置情報を送信できる。１つの実施形態において、システム１０は、フィットネス活動中にデータを記録および／または送信することのみができる。例えば、特定のレースが６月７日の午前１０時に起こる場合、システム１０は、その時点でデータの記録および／または送信を開始する。１つの実施形態において、システム１０は、例えば参加者１００の推定終了時間（例えば午前１０時から午後１２時１５分の間）に基づいて、所定の時間、記録および／または送信を継続できる。推定終了時間は、フィットネス活動前の参加者による入力として提供され得るか、あるいは、参加者またはフィットネス活動に関連した履歴データに基づき得る。別の実施形態において、参加者１００は、フィットネス活動の終了時点で記録および／または送信を手動でストップできる。１つの実施形態において、データの記録は、米国特許出願公開第2011/0082641号明細書（発明の名称「身体活動中にユーザーについての情報を提供するための方法およびコンピュータプログラム製品」）に記載されるように提供され得、その開示内容は、その全体を引用することにより本明細書の一部をなす。
【００５３】
１つの実施形態において、システム１０は、所定のパラメーターに基づいて、参加者１００の位置を送信でき、および／または参加者のパフォーマンスデータを記録できる。例えば、図７を参照すると、システム１０は、参加者がフィットネス活動の経路４００における所定の送信／記録エリア４０２内にいるときに参加者の位置を送信することのみができる。１つの実施形態において、システム１０は、送信／記録エリア４０２の外側のエリア４０４における参加者の位置情報を送信しない。システムは、エリア４０４における参加者のパフォーマンスデータも記録しなくても良い。このようにして、参加者が、所定の経路４００の外側のより短い、またはより困難の少ない経路をとることによりフィットネス活動中にごまかすことが防がれ得る。加えて、送信／記録エリア４０２を制限することにより、参加者のプライバシーが維持され得る。類似の制限された送信エリアが、見物人装置２０２に適用され得る。
【００５４】
ポータブルフィットネスモニタリング装置１０２、見物人装置２０２およびフィットネス活動サーバー１１２は、相互に作用して本発明のフィットネスモニタリング方法を提供するように適合される。図８は、本発明のある実施形態に従った、フィットネス活動に従事する参加者を追跡する方法５００の工程のフローチャートである。方法５００は、少なくとも工程５０２、５０４および５０６を含み得る。方法５００を説明するために、本明細書に記載のシステム１０の実施形態が用いられるが、該方法がそれらに限定されることは意図されない。工程５０２は、参加者が使用するポータブルフィットネスモニタリング装置１０２において受信されたデータに基づいてフィットネス活動中にフィットネス活動の参加者１００の位置を決定することを含む。１つの実施形態において、フィットネス活動中、参加者１００の位置はポータブルフィットネスモニタリング装置１０２により継続的に決定され、参加者１００の位置はフィットネス活動サーバー１１２へ送信される。１つの実施形態において、参加者１００の位置は、サーバー１１２へ継続的に送信される。他の実施形態において、参加者の位置は、他の所定の間隔で、または所定の基準に基づいて送信され得る。工程５０４においては、ポータブルフィットネスモニタリング装置１０２から受信した位置データに基づき、システム１０は、フィットネス活動中に、参加者が見物人から所定の距離または到着時間内にいる、あるいは経路に沿った特定の位置または目的のポイントにいることを示す警告を、見物人装置２０２における見物人２００へ送信する。システム１０は、見物人が使用する見物人装置２０２において受信されたデータに基づいてフィットネス活動中に見物人の位置も決定し得る。工程５０６において、見物人装置２０２からの位置データに基づき、システム１０はまた、見物人２００が参加者１００から所定の距離または時間内にいる、あるいは経路に沿った特定の位置または目的のポイントにいることを示す警告を、ポータブルフィットネスモニタリング装置１０２における参加者１００へ送信し得る。
【００５５】
図９は、本発明のある実施形態に従った、フィットネス活動中にポータブルフィットネスモニタリング装置１０２を使用して個体を追跡する方法６００の工程のフローチャートである。方法６００は、少なくとも工程６０２、６０４および６０６を含み得る。方法６００を説明するために、本明細書に記載のシステム１０の実施形態が用いられるが、該方法がそれらに限定されることは意図されない。工程６０２は、フィットネス活動の見物人２００からのフィットネス活動登録情報を受信することを含む。登録情報は、フィットネス活動中に見物人２００が追跡したい参加者１００についての情報を含み得る。「ライブ追跡」モバイルアプリケーションを含む実施形態において、登録情報は、該アプリケーションが提供する登録インターフェース３００を通じて提供され得る。工程６０４は、参加者が使用するポータブルフィットネスモニタリング装置１０２において受信されたデータに基づいてフィットネス活動中にフィットネス活動の参加者１００の位置を決定することを含む。工程６０６において、システムは、フィットネス活動中に所定の見物人パラメーター閾値に達していることを示す警告をポータブルフィットネスモニタリング装置１０２へ送信する。例えば、参加者１００は、見物人２００が自分の現在地から所定の距離（例えば２００ｍ）内にいる、または自分の現在地から所定の時間内にいるとの警告を受け得る。参加者１００に提供される警告は、視覚的警告、聴覚的警告、触覚的警告、またはそれらの任意の組み合わせであって良い。
【００５６】
図１０は、本発明のある実施形態に従った、フィットネス活動中にポータブルフィットネスモニタリング装置１０２を使用して個体を追跡する方法７００の工程のフローチャートである。方法７００は、少なくとも工程７０２、７０４、７０６、７０８および７１０を含み得る。方法７００を説明するために、本明細書に記載のシステム１０の実施形態が用いられるが、該方法がそれらに限定されることは意図されない。工程７０２は、フィットネス活動中に参加者１００の追跡に参加するように招待を見物人２００へ送信することを含む。招待は、例えばポータブルフィットネスモニタリング装置１０２から送信され得る。例えば、参加者１００は、次回のレース中に自分を追跡するよう、Facebook（登録商標）の友人、LinkedIn（登録商標）のコンタクト、アスリートコミュニティ（例えばフィットネスデータベース１１３上の）、またはTwitter（登録商標）のフォロワーへ招待を送信できる。工程７０４において、見物人２００からの招待の受諾が受信される。受諾は、例えばサーバー１１２またはポータブルフィットネスモニタリング装置１０２において受信され得る。受諾は、システム１０がフィットネス活動中に見物人と通信することを可能にする見物人識別情報を含み得る。
【００５７】
工程７０６は、フィットネス活動中に参加者１００の位置を決定することを含む。この決定は、参加者が使用するポータブルフィットネスモニタリング装置１０２において受信されたデータに基づき得る。工程７０８において、ポータブルフィットネスモニタリング装置１０２において受信した位置データに基づき、システム１０は、フィットネス活動中に、参加者が見物人から所定の距離または到着時間内にいる、あるいは経路に沿った特定の位置または目的のポイントにいることを示す警告を、見物人装置２０２における見物人２００へ送信する。システム１０は、見物人が使用する見物人装置２０２において受信されたデータに基づいてフィットネス活動中に見物人の位置も決定し得る。工程７１０において、見物人装置２０２において受信された位置データに基づき、システム１０はまた、見物人２００が参加者から所定の距離または時間内にいる、あるいは経路に沿った特定の位置または目的のポイントにいるとの警告を、ポータブルフィットネスモニタリング装置１０２における参加者１００へ送信し得る。
【００５８】
特定の実施形態についての前述の説明は、発明の一般的性質を十分に明らかにするものであるので、他者は、当技術分野における技術の範囲内の知識を適用することにより、過度の実験無しで、本発明の一般的概念から逸脱せずに、このような特定の実施形態を容易に修正すること、および／または様々な用途向けに適合することが可能である。よって、このような適合および修正は、本明細書に示された教示および誘導に基づき、開示された実施形態の同等物の意味および範囲内にあることが意図される。本明細書に記載の専門用語や表現は、説明を目的とするものであって限定を目的とするものではないことが理解されるべきであり、本明細書の専門用語や表現は、当業者により教示および誘導に照らして解釈されるべきである。
【００５９】
本発明の範囲は、上述の例示的な実施形態のどれによっても限定されるべきではなく、以下の請求項およびその同等物によってのみ規定されるべきである。
【図１】
2013137765.tif 000003
【図２】
2013137765.tif 000004
【図３】
2013137765.tif 000005
【図４】
2013137765.tif 000006
【図５】
2013137765.tif 000007
【図６】
2013137765.tif 000008
【図７】
2013137765.tif 000009
【図８】
2013137765.tif 000010
【図９】
2013137765.tif 000011
【図１０】
2013137765.tif 000012
【外国語明細書】
2013137765000001.pdf